(57)【要約】【課題】光ピックアップ装置の取付け構造において、ねじをある程度締めこんでも筐体に歪みが生じないようにする。【解決手段】光ピックアップ装置ＰＵの筐体２０の側壁下端部には、外側に突出するとともに底面を筐体の中央部底面よりも低くした突出部２１，２２，２３が設けられている。突出部２１，２２，２３は、ねじ２４，２５，２６によりそれぞれピックアップベース１０の取付け面１０ａに固定されている。突出部２１，２２，２３の底面には、ねじ２４，２５，２６と直交する方向に沿って延設された断面Ｖ字状の第１切込み溝２１ａ，２２ａ，２３ａが設けられている。突出部２１，２２，２３の背面および正面には、ねじ２４，２５，２６の軸線方向に平行な方向に沿って延設されたワイヤカットによる各一対ずつの第１切込み溝２１ａ，２２ａ，２３ａが設けられている。【選択図】  図１
2004342201.tif 000002
【特許請求の範囲】
【請求項１】
光ピックアップ装置の筐体の側壁下端部から外側に突出するとともに取付け面に接する底面を前記筐体の中央部底面よりも低くした複数の突出部を設け、前記突出部を上下方向に貫通するねじにより前記筐体を取付け面に取付ける光ピックアップ装置の取付け構造であって、前記突出部の根元部分に切込み溝を設けたことを特徴とする光ピックアップ装置の取付け構造。
【請求項２】
前記切込み溝は、前記ねじの軸線方向と直交する方向に沿って延設された第１切込み溝と、前記ねじの軸線方向に平行な方向に沿って延設された第２切込み溝とからなる請求項１に記載した光ピックアップ装置の取付け構造。
【請求項３】
前記第１および第２切込み溝の中心線は共に同一平面内にある請求項２に記載した光ピックアップ装置の取付け構造。
【請求項４】
前記第１切込み溝は断面Ｖ字状であり、前記第２切込み溝はワイヤカットによる切込み溝である請求項２または３に記載した光ピックアップ装置の取付け構造。
【請求項５】
前記突出部の数は３である請求項１ないし４のうちのいずれか一つに記載した光ピックアップ装置の取付け構造。
【請求項６】
前記ねじと前記突出部との間にスプリングを介装させた請求項１ないし５のうちのいずれか一つに記載した光ピックアップ装置の取付け構造。
【請求項７】
光ピックアップ装置の筐体を支持プレートに組付け、前記支持プレートにその側面から外側に突出するとともに取付け面に接する底面を前記支持プレートの中央部底面よりも低くした複数の突出部を設けるとともに、同突出部を上下方向に貫通するねじにより同支持プレートを取付け面に取付けるようにした光ピックアップ装置の取付け構造であって、前記突出部の根元部分に切込み溝を設けたことを特徴とする光ピックアップ装置の取付け構造。
【請求項８】
前記切込み溝は、前記ねじの軸線方向と直交する方向に沿って延設された第１切込み溝と、前記ねじの軸線方向に平行な方向に沿って延設された第２切込み溝とからなる請求項７に記載した光ピックアップ装置の取付け構造。
【請求項９】
前記第１および第２切込み溝の中心線は共に同一平面内にある請求項８に記載した光ピックアップ装置の取付け構造。
【請求項１０】
前記第１切込み溝は断面Ｖ字状であり、前記第２切込み溝はワイヤカットによる切込み溝である請求項８または９に記載した光ピックアップ装置の取付け構造。
【請求項１１】
前記突出部の数は３である請求項７ないし１０のうちのいずれか一つに記載した光ピックアップ装置の取付け構造。
【請求項１２】
前記筐体および前記支持プレートはそれぞれ平面視方形状であって、同筐体の４つの角部と同支持プレートの４つの角部は平面視同一位置にそれぞれ配置されており、前記３つの突出部は前記支持プレートの３つの角部近傍に設けられている請求項１１に記載した光ピックアップ装置の取付け構造。
【請求項１３】
前記光ピックアップ装置は光を受光するフォトディテクタを有し、同フォトディテクタを前記突出部の設けられていない支持プレートの角部に対応した前記筐体の角部近傍に配置した請求項１２に記載した光ピックアップ装置の取付け構造。
【請求項１４】
前記突出部の設けられていない支持プレートの角部に対応した前記筐体の角部を含む３つの角部近傍にて前記筐体をねじにより前記支持プレートに固定した請求項１２または１３に記載した光ピックアップ装置の取付け構造。
【請求項１５】
前記ねじと前記突出部との間にスプリングを介装させた請求項７ないし１４のうちのいずれか一つに記載した光ピックアップ装置の取付け構造。
【発明の詳細な説明】
【０００１】
【発明の属する技術分野】
本発明は、レーザ光を用いて、ＣＤ，ＤＶＤなどの光ディスクに記録したデータを読取り、および／または同光ディスクにデータを書込むことを可能とする光ピックアップ装置の取付け構造に関する。
【０００２】
【従来の技術およびその欠点】
従来、レーザ光源、レンズ、偏光ビームスプリッタ、ミラー、フォトディテクタなどの光学素子を組付けた光ピックアップ装置の筐体は、ピックアップベースの取付け面に複数のねじにより固定されていた。しかし、取付け面には僅かではあるが凹凸があり、ピックアップベースの厚さに比べると光ピックアップ装置の筐体の厚さは薄く、ねじを締め込むと筐体に歪みが生じる。この筐体の歪みは、筐体に組み付けた複数の光学素子からなる光学系に影響を及ぼし、フォトディテクタの中心に形成されるように設計されたレーザスポットが中心からずれた位置に形成されて、光ピックアップ装置による再生信号の精度を悪化させる。
【０００３】
現在までに、この再生信号の精度の悪化を避けるために種々の工夫がなされており、下記特許文献１には、ねじにその中央から放射状にスリットを設けることにより、ねじに弾性をもたせて外力の影響が筐体に及び難くすることが示されている。しかし、この方法にあっても、筐体における歪みの発生を抑制するのには充分でなかった。
【０００４】
【特許文献１】
特開平４−１５５８９４号公報
【０００５】
【発明の概略】
本発明は、上記従来装置の欠点をなくすためになされたもので、その目的は、ねじをある程度締めこんでも筐体に歪みが生じないようにした光ピックアップ装置の取付け構造を提供することにある。
【０００６】
上記目的を達成するために、本発明の特徴は、光ピックアップ装置の筐体の側壁下端部から外側に突出するとともに取付け面に接する底面を筐体の中央部底面よりも低くした複数の突出部を設け、突出部を上下方向に貫通するねじにより筐体を取付け面に取付けるようにし、かつ突出部の根元部分に切込み溝を設けたことにある。
【０００７】
この場合、切込み溝は、例えば、ねじの軸線方向と直交する方向に沿って延設された第１切込み溝と、ねじの軸線方向に平行な方向に沿って延設された第２切込み溝とからなる。そして、第１および第２切込み溝の中心線は共に同一平面内にあるとよい。さらに、第１切込み溝は断面Ｖ字状であり、第２切込み溝はワイヤカットによる切込み溝であるとよい。
【０００８】
この本発明の特徴によれば、ねじをある程度締め込んでも、切込み溝を設けた突出部の根元部にて取付け面の凹凸による突出部の歪みが吸収される。特に、切込み溝を、ねじの軸線方向と直交する方向に沿って延設された第１切込み溝と、ねじの軸線方向に平行な方向に沿って延設された第２切込み溝とで構成すれば、前記取付け面の凹凸による突出部のあらゆる方向の歪みが吸収される。また、第１および第２切込み溝の中心線が共に同一平面内にあるようにすれば、その効果はさらに大きくなる。その結果、取付け面に多少の凹凸があっても、筐体の突出部よりも内側部分には、前記凹凸による歪みが発生し難くなるので、光ピックアップ装置による再生信号の精度を良好にできる。
【０００９】
また、本発明の他の特徴は、突出部の数を「３」にしたことにある。これによれば、筐体は取付け面上にて３点支持されるので、取付け面が高精度の平面でなくても、その影響を受けて筐体が歪むことを回避でき、光ピックアップ装置による再生信号の精度を良好にできる。
【００１０】
また、本発明の他の特徴は、ねじと突出部との間にスプリングを介装させたことにある。これによれば、ねじの締め付けにより取付け面からねじが受ける力が突出部に直接伝達されず、スプリングを介して伝達される。これにより、突出部に対して、ねじの中心軸回りの回転方向にかかる力をなくし、取付け面の垂直方向にかかる力のみにすることができる。したがって、前記回転方向にかかる力により生じる筺体の歪みをなくすことができ、光ピックアップ装置による再生信号の精度をより良好にできる。
【００１１】
また、本発明の他の特徴は、光ピックアップ装置の筐体を支持プレートに組付け、支持プレートにその側面から外側に突出するとともに取付け面に接する底面を支持プレートの中央部底面よりも低く形成した複数の突出部を設け、突出部を上下方向に貫通するねじにより支持プレートを取付け面に取付け、かつ突出部の根元部分に切込み溝を設けたことにある。
【００１２】
これによっても、ねじをある程度締め込んでも、切込み溝を設けた突出部の根元部にて取付け面の凹凸による突出部の歪みが吸収され、支持プレートの突出部よりも内側部分には、前記凹凸による歪みが発生し難くなる。その結果、支持プレートに組付けた筐体には、取付け面の凹凸が影響しなくなり、光ピックアップ装置による再生信号の精度を良好にできる。
【００１３】
また、この場合も、前述の場合と同様な理由により、切込み溝を、ねじの軸線方向と直交する方向に沿って延設された第１切込み溝と、ねじの軸線方向に平行な方向に沿って延設された第２切込み溝とで構成するとよい。また、これらの第１および第２切込み溝の中心線は共に同一平面内にあるようにするとよい。そして、第１切込み溝は断面Ｖ字状にし、第２切込み溝はワイヤカットによる切込み溝にするとよい。さらに、突出部の数を３に構成し、また、ねじと突出部との間にスプリングを介装させるとよい。
【００１４】
また、本発明の他の特徴は、筐体および支持プレートをそれぞれ平面視方形状であって、筐体の４つの角部と同支持プレートの４つの角部を平面視同一位置にそれぞれ配置し、かつ前記３つの突出部を支持プレートの３つの角部近傍に設けたことにある。これによれば、筐体の支持プレートへの組み付け性が良好となる。
【００１５】
そして、この場合には、光ピックアップ装置における光を受光するためのフォトディテクタを突出部の設けられていない支持プレートの角部に対応した筐体の角部近傍に配置するとよい。これにより、フォトディテクタは、取付け面への支持プレートの取付け位置から遠くなるので、取付け面の凹凸の影響がフォトディテクタを組付けた筐体部分に影響し難くなり、レーザスポットはフォトディテクタの中心に高精度で形成されるようになって、光ピックアップ装置による再生信号の精度をより良好にできる。
【００１６】
また、本発明の他の特徴は、突出部の設けられていない支持プレートの角部に対応した筐体の角部を含む３つの角部近傍にて筐体をねじにより支持プレートに固定したことにある。これによれば、支持プレートの取付け面に対する各固定位置と、筐体の支持プレートに対する各固定位置とを全て同一にした場合に比べて、取付け面の凹凸の影響が筐体に及び難くなり、光ピックアップ装置による再生信号の精度をより良好にできる。
【００１７】
【実施の形態】
ａ．第１実施形態
以下、本発明の第１実施形態について図面を用いて説明する。図１（Ａ）は第１実施形態に係る光ピックアップ装置ＰＵの平面図であり、図１（Ｂ）は同光ピックアップ装置ＰＵの正面図であり、図１（Ｃ）は同光ピックアップ装置ＰＵの側面図である。この光ピックアップ装置ＰＵは、ピックアップベース１０の取付け面１０ａにねじ固定されている。
【００１８】
光ピックアップ装置ＰＵは、アルミニウムで直方体状に成形された筐体２０を備えている。筐体２０には、レーザ光源（レーザダイオード）３１、コリメートレンズ３２、反射ミラー３３、グレーティング３４、偏光ビームスプリッタ３５、１／４波長板３６、立ち上げミラー３７、対物レンズ３８、偏光ビームスプリッタ４１、内部反射ミラー４２およびフォトディテクタ４３，４４からなる光学系が組み付けられている。レーザ光源３１およびフォトディテクタ４３，４４は、電気回路と接続されるために、筐体２０の左側壁２０ａおよび正面側の側壁２０ｂにそれぞれ組み付けられている。コリメートレンズ３２、反射ミラー３３、グレーティング３４、偏光ビームスプリッタ３５、１／４波長板３６、立ち上げミラー３７、偏光ビームスプリッタ４１および内部反射ミラー４２は筐体２０内に収容されている。対物レンズ３８は、トラッキングおよびフォーカシングのために、筐体２０の上面２０ｃに組み付けたアクチュエータ４５に組み付けられている。
【００１９】
このように構成した光学系により、レーザ光源３１から出射されたレーザ光は、コリメートレンズ３２、反射ミラー３３、グレーティング３４、偏光ビームスプリッタ３５、１／４波長板３６および立ち上げミラー３７を介して対物レンズ３８に入射し、対物レンズ３８は図示しないＣＤ、ＤＶＤなどの光ディスク上にレーザスポットを形成する。そして、光ディスク上に形成されたレーザスポットからの反射光が、対物レンズ３８、立ち上げミラー３７、１／４波長板３６、偏光ビームスプリッタ３５、偏光ビームスプリッタ４１および内部反射ミラー４２を介して、フォトディテクタ４３，４４に入射する。フォトディテクタ４３，４４は入射したレーザ光を電気信号にそれぞれ変換する。フォトディテクタ４３により変換された電気信号により、アクチュエータ４５を制御するためのフォーカスエラーおよびトラッキングエラー信号が形成される。また、フォトディテクタ４４により変換された電気信号により、光ディスクの記録データが再生される。
【００２０】
筐体２０における背面側角部近傍の左側壁２０ａの下端部には直方体状の突出部２１が一体形成され、同筐体２０における背面側および正面側角部近傍の右側壁２０ｄの下端部には直方体状の突出部２２，２３がそれぞれ一体形成されている。これらの突出部２１，２２，２３の底面は筐体２０の中央部底面２０ｅよりもそれぞれ低く、筐体２０をピックアップベース１０の上面である取付け面１０ａ上に載置したとき、突出部２１，２２，２３の底面のみが取付け面１０ａに接して、筐体２０の中央部底面２０ｅは取付け面１０ａ上から浮いた状態になる。
【００２１】
突出部２１，２２，２３の根元部分の底面には、正面側から背面側に向かって延設された断面Ｖ字状の第１切込み溝２１ａ，２２ａ，２３ａがそれぞれ形成されている。また、これらの突出部２１，２２，２３の根元部分の背面および正面には、上下方向に延設されたワイヤカットによる第２切込み溝２１ｂ，２１ｂ，２２ｂ，２２ｂ，２３ｂ，２３ｂがそれぞれ形成されている。そして、第１切込み溝２１ａの中心線、および第２切込み溝２１ｂ，２１ｂの各中心線は、すべて同一の垂直平面内にある。第１切込み溝２２ａの中心線、および第２切込み溝２２ｂ，２２ｂの各中心線も、すべて同一の垂直平面内にある。第１切込み溝２３ａの中心線、および第２切込み溝２３ｂ，２３ｂの各中心線も、すべて同一の垂直平面内にある。
【００２２】
突出部２１，２２，２３は、第１切込み溝２１ａ，２２ａ，２３ａの各外側位置にて、上方から下方に貫通するねじ２４，２５，２６によりピックアップベース１０の取り付け面１０ａに固定される。この場合、ねじ２４，２５，２６は下端部近傍のみ雄ねじが形成されていて、ピックアップベース１０に設けた雌ねじに螺合している。なお、突出部２１，２２，２３には、ねじ２４，２５，２６を通過させるための上下方向に貫通する貫通孔が設けられているが、その内周面には雌ねじが形成されておらず、ねじ２４，２５，２６は突出部２１，２２，２３とはねじ結合されていない。
【００２３】
上記のように構成した第１実施形態によれば、ねじ２４，２５，２６をある程度締め込んでも、第１および第２切込み溝２１ａ、２１ｂ，２２ａ，２２ｂ，２３ａ，２３ｂを設けた突出部２１，２２，２３の根元部にて、ピックアップベース１０の取付け面１０ａの凹凸による突出部２１，２２，２３の歪みが吸収される。その結果、ピックアップベース１０の取付け面１０ａに多少の凹凸があっても、筐体２０の突出部２１，２２，２３よりも内側部分には、前記凹凸による歪みが発生し難くなるので、光ピックアップ装置ＰＵによる再生信号の精度を良好にできる。また、上記第１実施形態によれば、平面視方形状の筺体２０の４つの角部のうちの３つの角部近傍に突出部２１，２２，２３を設けて、筺体２０をピックアップベース１０の取付け面１０ａに３点支持するようにしたので、取付け面１０ａが高精度の平面でなくても、その影響を受けて筐体２０が歪むことを回避でき、光ピックアップ装置ＰＵによる再生信号の精度を良好にできる。
【００２４】
次に、上記第１実施形態の変形例について説明しておく。上記第１実施形態では、第１切込み溝２１ａ，２２ａ，２３ａを突出部２１，２２，２３の根元部分の底面に形成した。しかし、これに代えて、図１（Ｂ）に対応させた図２の正面図に示すように、突出部２１，２２，２３の根元部分の上面に、正面側から背面側に向かって延設された断面Ｖ字状の第１切込み溝２１ｃ，２２ｃ，２３ｃをそれぞれ形成するようにしてもよい。そして、この場合も、突出部２１，２２，２３の根元部分の背面および正面に、上下方向に延設されたワイヤカットによる各一対の第２切込み溝２１ｄ，２２ｄ，２３ｄがそれぞれ形成される。また、第１切込み溝２１ｃの中心線、および一対の第２切込み溝２１ｄの各中心線は、すべて同一の垂直平面内にある。第１切込み溝２２ｃの中心線、および一対の第２切込み溝２２ｄの各中心線も、すべて同一の垂直平面内にある。第１切込み溝２３ｃの中心線、および一対の第２切込み溝２３ｄの各中心線も、すべて同一の垂直平面内にある。
【００２５】
また、図１（Ａ）（Ｂ）に対応させた図３（Ａ）（Ｂ）の平面図および正面図に示すように、突出部２１，２２，２３の根元部分の背面および正面に、上下方向に延設された断面Ｖ字状の各一対の第１切込み溝２１ｅ，２２ｅ，２３ｅをそれぞれ形成するようにしてもよい。そして、この場合には、突出部２１，２２，２３の根元部分の上面および底面に、正面側から背面側に向けて延設されたワイヤカットによる各一対の第２切込み溝２１ｆ，２２ｆ，２３ｆがそれぞれ形成される。また、一対の第１切込み溝２１ｅの各中心線、および一対の第２切込み溝２１ｆの各中心線は、すべて同一の垂直平面内にある。一対の第１切込み溝２２ｅの各中心線、および一対の第２切込み溝２２ｆの各中心線も、すべて同一の垂直平面内にある。一対の第１切込み溝２３ｅの各中心線、および一対の第２切込み溝２３ｆの各中心線も、すべて同一の垂直平面内にある。
【００２６】
そして、これらの第１および第２変形例においても、第１切込み溝２１ｃ，２２ｃ，２３ｃおよび第２切込み溝２１ｄ，２２ｄ，２３ｄと、第１切込み溝２１ｅ，２２ｅ，２３ｅおよび第２切込み溝２１ｆ，２２ｆ，２３ｆとは、上記第１実施形態の場合と同様に機能する。したがって、これらの第１および第２変形例においても、上記第１実施形態の場合と同様な効果が期待される。
【００２７】
次に、上記第１実施形態の第３変形例について説明する。この第３変形例は、上記第１実施形態の突出部２１〜２３とねじ２４〜２６との各間にコイル状のスプリングを介装させたものである。この変形例を突出部２１を代表させて説明すると、図４に突出部２１を拡大して示すように、突出部２１の上面には有底の円形穴２１ｇが形成されている。この円形穴２１ｇの直径はねじ２４を通過させる貫通孔の直径よりも大きく設定されており、ねじの外周上に組み付けたコイル状のスプリング２７の下部が収容される。スプリング２７は、その下端にて円形穴２１ｇの底面により支持され、その上端がねじ２４の頭部の下面に当接している。
【００２８】
この第３変形例によれば、ねじ２４の締め付けによってピックアップベース１０の取付け面１０ａからねじ２４が受ける力が突出部２１に直接伝達されず、スプリング２７を介して伝達される。これにより、突出部２１に対して、ねじの中心軸回りの回転方向にかかる力をなくし、取付け面１０ａの垂直方向にかかる力のみにすることができる。したがって、前記回転方向にかかる力により生じる筺体２０の歪みをなくすことができ、光ピックアップ装置ＰＵによる再生信号の精度をより良好にできる。
【００２９】
ｂ．第２実施形態
次に、本発明の第２実施形態について図面を用いて説明する。図５（Ａ）は第２実施形態に係る光ピックアップ装置ＰＵの平面図であり、図５（Ｂ）は同光ピックアップ装置ＰＵの正面図であり、図５（Ｃ）は同光ピックアップ装置ＰＵの側面図である。この光ピックアップ装置ＰＵは、アルミニウムで成形した支持プレート（スペーサ）５０を介してピックアップベース１０の取付け面１０ａにねじ固定されている。光ピックアップ装置ＰＵは、突出部２１〜２３を削除したことを除き上記第１実施形態とほぼ同じに構成されているので、第１実施形態と同一部分に関しては同一符号を付してその説明を省略する。
【００３０】
光ピックアップ装置ＰＵの筺体２０は、背面側左右角部近傍、正面側右角部近傍の各位置にて、ねじ６１，６２，６３により支持プレート５０に固定されている。ねじ６１，６２，６３は、その下端部近傍のみに雄ねじを備え、筺体２０を上方から下方に貫通し、支持プレート５０に設けた雌ねじに螺合している。なお、筺体２０には、ねじ６１，６２，６３を通過させるための上下方向に貫通する貫通孔が設けられているが、その内周面には雌ねじが形成されておらず、ねじ６１，６２，６３は筺体２０とはねじ結合されていない。
【００３１】
支持プレート５０は、直方体状に形成されており、筐体２０と平面視ほぼ同一に形成されて筺体２０の下面に重ね合わされている。支持プレート５０における背面側および正面側角部近傍の左側面５０ａには直方体状の突出部５１，５２がそれぞれ一体形成され、同支持プレート５０における背面側角部近傍の右側面５０ｂには直方体状の突出部５３がそれぞれ一体形成されている。これらの突出部５１，５２，５３の底面は支持プレート５０の中央部底面５０ｃよりもそれぞれ低く、支持プレート５０をピックアップベース１０の上面である取付け面１０ａ上に載置したとき、突出部５１，５２，５３の底面のみが取付け面１０ａに接して、支持プレート５０の中央部底面５０ｃは取付け面１０ａ上から浮いた状態になる。
【００３２】
突出部５１，５２，５３の根元部分の底面には、上記第１実施形態の第１切込み溝２１ａ，２２ａ，２３ａと同様な第１切込み溝５１ａ，５２ａ，５３ａがそれぞれ形成されている。また、これらの突出部５１，５２，５３の根元部分の背面および正面には、上記第１実施形態の第２切込み溝２１ｂ，２１ｂ，２２ｂ，２２ｂ，２３ｂ，２３ｂと同様な第２切込み溝５１ｂ，５１ｂ，５２ｂ，５２ｂ，５３ｂ，５３ｂがそれぞれ形成されている。
【００３３】
突出部５１，５２，５３は、第１切込み溝５１ａ，５２ａ，５３ａの各外側位置にて、上記第１実施形態と同様に、上方から下方に貫通するねじ５４，５５，５６によりピックアップベース１０の取り付け面１０ａに固定される。この場合も、ねじ５４，５５，５６は下端部近傍のみ雄ねじが形成されていて、ピックアップベース１０に設けた雌ねじに螺合している。なお、この場合も、突出部５１，５２，５３には、ねじ５４，５５，５６を通過させるための上下方向に貫通する貫通孔が設けられているが、その内周面には雌ねじが形成されておらず、ねじ５４，５５，５６は突出部５１，５２，５３とはねじ結合されていない。
【００３４】
上記のように構成した第２実施形態によれば、ねじ５４，５５，５６をある程度締め込んでも、第１および第２切込み溝５１ａ、５１ｂ，５２ａ，５２ｂ，５３ａ，５３ｂを設けた突出部５１，５２，５３の根元部にてピックアップベース１０の取付け面１０ａの凹凸による突出部５１，５２，５３の歪みが吸収される。その結果、ピックアップベース１０の取付け面１０ａに多少の凹凸があっても、支持プレート５０の突出部５１，５２，５３よりも内側部分には、前記凹凸による歪みが発生し難くなるので、光ピックアップ装置ＰＵによる再生信号の精度を良好にできる。
【００３５】
また、上記第２実施形態によれば、平面視方形状の支持プレート５０の４つの角部のうちの３つの角部近傍に突出部５１、５２，５３を設けて、支持プレート５０をピックアップベース１０の取付け面１０ａに３点支持するようにしたので、取付け面１０ａが高精度の平面でなくても、その影響を受けて支持プレート５０が歪むことを回避できる。そして、筺体２０もねじ６１，６２，６３により支持プレート５０に３点支持するようにしたので、支持プレート５０の上面が高精度の平面でなくても、その影響を受けて筺体２０が歪むことを回避できる。その結果、光ピックアップ装置ＰＵによる再生信号の精度を良好にできる。
【００３６】
また、上記第２実施形態では、突出部５２は、ねじ６１，６２，６３による筺体２０の支持プレート５０への固定位置でない１つの角部を含む支持プレート５０の３つの角部に設けられている。これにより、支持プレート５０の取付け面１０ａに対する各固定位置と、筐体２０の支持プレート５０に対する各固定位置とを全て同一にした場合に比べて、取付け面１０ａの凹凸の影響が筐体２０に及び難くなり、光ピックアップ装置ＰＵによる再生信号の精度をより良好にできる。
【００３７】
さらに、上記第２実施形態によれば、光ピックアップ装置ＰＵにおけるレーザ光を受光するためのフォトディテクタ４３，４４を、筐体２０の正面２０ｂの右端部すなわち突出部５１，５２，５３の設けられていない支持プレート５０の角部に対応した筐体２０の角部近傍に配置した。これにより、フォトディテクタ４３，４４は、取付け面１０ａへの支持プレート５０の取付け位置から遠くなるので、取付け面１０ａの凹凸の影響がフォトディテクタ４３，４４を組付けた筐体２０部分に影響し難くなり、レーザスポットはフォトディテクタ４３，４４の中心に高精度で形成されるようになって、光ピックアップ装置ＰＵによる再生信号の精度をより良好にできる。
【００３８】
また、上記のように構成した第２実施形態においても、上記第１実施形態の第１変形例の場合と同様に、突出部５１，５２，５３の根元部分の上面に正面から背面に向かって延設された断面Ｖ字状の第１切込み溝をそれぞれ形成するとともに、同根元部分の背面および正面に、上下方向に延設されたワイヤカットによる各一対の第２切込み溝をそれぞれ形成するようにしてもよい。また、上記第１実施形態の第２変形例の場合と同様に、突出部５１，５２，５３の根元部分の背面および正面に、上下方向に沿って延設された断面Ｖ字状の各一対の第１切込み溝をそれぞれ形成するとともに、同根元部分の上面および底面に、正面側から背面側に向けて延設されたワイヤカットによる各一対の第２切込み溝をそれぞれ形成するようにしてもよい。
【００３９】
さらに、この第２実施形態においても、上記第１実施形態の第３変形例と同様に、突出部５１，５２，５３とねじ５４，５５，５６との各間にコイル状のスプリングを介装させるようにしてもよい。また、筺体２０を支持プレート５０にねじ止めする場合も、筺体２０の上面とねじ６１，６２，６３との各間にコイル状のスプリングを介装するようにしてもよい。これらの変形例によっても、上記第１実施形態の第１ないし第３変形例の場合と同様な効果が期待される。
【００４０】
以上、本発明の第１実施形態、第２実施形態およびそれらの変形例について詳しく説明したが、本発明の実施にあたっては、上記実施形態に限定されるものではなく、本発明の目的を逸脱しない限りにおいて種々の変形も可能である。
【図面の簡単な説明】
【図１】（Ａ）は第１実施形態に係る光ピックアップ装置の平面図であり、（Ｂ）は同光ピックアップ装置の正面図であり、（Ｃ）は同光ピックアップ装置の側面図である。
【図２】前記第１実施形態の第１変形例に係る光ピックアップ装置の正面図である。
【図３】（Ａ）は前記第１実施形態の第２変形例に係る光ピックアップ装置の平面図であり、（Ｂ）は同光ピックアップ装置の正面図である。
【図４】前記第１実施形態の第３変形例に係る筺体の突出部を拡大して示す一部破断図である。
【図５】（Ａ）は第２実施形態に係る光ピックアップ装置の平面図であり、（Ｂ）は同光ピックアップ装置の正面図であり、（Ｃ）は同光ピックアップ装置の側面図である。
【符号の説明】
ＰＵ…光ピックアップ装置、１０…ピックアップベース、１０ａ…取付け面、２０…筺体、２１〜２３…突出部、２１ａ〜２３ａ，２１ｃ〜２３ｃ、２１ｅ〜２３ｅ…第１切込み溝、２１ｂ〜２３ｂ，２１ｄ〜２３ｄ、２１ｆ〜２３ｆ…第２切込み溝、２４〜２６…ねじ、２７…スプリング、３１…レーザ光源、３５，４１…偏光ビームスプリッタ、３８…対物レンズ、４３，４４…フォトディテクタ、４５…アクチュエータ、５０…支持プレート、５１〜５３…突出部、５１ａ〜５３ａ…第１切込み溝、５１ｂ〜５３ｂ…第２切込み溝、５４〜５６，６１〜６３…ねじ。
【図１】
2004342201.tif 000003
【図２】
2004342201.tif 000004
【図３】
2004342201.tif 000005
【図４】
2004342201.tif 000006
【図５】
2004342201.tif 000007